(57)【要約】      （修正有）【課題】容器のフィルムを簡単に開くことができる膜蓋剥し機能に加え、ペットボトル、瓶キャップ、パウチ容器などの蓋も開けることができる膜蓋剥し機能付キャップオープナーを提供する。【解決手段】膜蓋剥し部１０とキャップオープナー部２０を有し、キャップオープナー部は一体形成されたオープナー部２２とハンドル部２１を有し、ハンドル部と膜蓋剥し部が一体的に形成され、膜蓋剥し部は、断面半丸線の細い棒状の鋼材を二つ折りにして断面丸形状の軸であり、二つに合わせた半丸線の片側のストレートの長い軸１１と、他方の片側を短くし先端を上部に反らした短い軸１２と、を有し、二つ折りの部分が、ハンドル部に植え込み固定され、オープナー部は、容器の蓋を開けるための複数の蓋開け部２２ａ〜ｆを有している。【選択図】図１
0003221385.tif 000002
【実用新案登録請求の範囲】
【請求項１】
膜蓋剥し部とキャップオープナー部を有し、前記キャップオープナー部はオープナー部とハンドル部を有し、前記ハンドル部と前記膜蓋剥し部が一体的に形成されている膜蓋剥し機能付キャップオープナーであって、
前記膜蓋剥し部は、断面半丸線の細い棒状の鋼材を二つ折りにして断面丸形状の軸であり、二つに合わせた半丸線の片側のストレートの長い軸と、前記二つに合わせた他方の片側を短くし先端を上部に反らした形状に形成されている先端を反らした短い軸と、を有し、前記二つ折りの部分が、前記ハンドル部に植え込み固定されており、
前記キャップオープナー部は、前記オープナー部と前記ハンドル部が一体的に形成されており、前記オープナー部は、容器の蓋を開けるための複数の蓋開け部を有していることを特徴とする膜蓋剥し機能付キャップオープナー。
【請求項２】
前記蓋剥し部は、前記ストレートの長い軸と、前記先端を反らした短い軸を用いてフィルムによってシールされた膜蓋を有するパック容器の膜蓋開けをするために、前記膜蓋のつまみ部分を挟み回転し、前記つまみ部分を巻き込み剥すように形成されていることを特徴とする請求項１に記載の膜蓋剥し機能付キャップオープナー。
【請求項３】
前記キャップオープナー部の複数の蓋開け部は、６個の蓋開け部であり、第１の蓋開け部は、パウチ袋入り飲料の蓋開け用であり、第２の蓋開け部は、直径２２.５ｍｍの栄養ドリンク３０ｍｌ用であり、第３の蓋開け部は、直径２５ｍｍの栄養ドリンク５０ｍｌ用であり、第４の蓋開け部は、直径２８ｍｍの栄養ドリンク１００ｍｌ用であり、第５の蓋開け部は、直径３０ｍｍの清涼飲料用ＰＥＴボトル用であり、第６の蓋開け部は、直径３２.５ｍｍの水用ＰＥＴボトル用であることを特徴とする請求項１に記載の膜蓋剥し機能付キャップオープナー。
【考案の詳細な説明】
【技術分野】
【０００１】
本考案は、膜蓋剥し機能付キャップオープナーに関する。
【背景技術】
【０００２】
容器に食品を密閉した膜蓋は、膜の一部に舌状に出したつまみが設けられており、その部分を指で摘まんで剥がしているのが一般的であるが、例えば、高齢者などにおいて、指先の力が衰え、膜蓋を剥がすのに苦労している。その解決策として、細い軸の先端を二分割し膜蓋のつまみ部分を挟み、回転してつまみ部分を巻き込んで取る剥し器具が開示されている。
【先行技術文献】
【特許文献】
【０００３】
【特許文献１】実用新案登録第３２０４８６６号公報
【考案の概要】
【考案が解決しようとする課題】
【０００４】
上記の膜蓋剥し器具は、豆腐やゼリーなど容器のフィルムを簡単に開けることができ、蓋の端を金属部で挟み、回すことによりフィルムを剥して蓋を開けることができるものであるが、用途が限定されており、より多機能なものが求められていた。
【０００５】
本考案は、こうした点に鑑みてなされたものであり、容器のフィルムを簡単に開くことができる膜蓋剥し機能に加え、ペットボトル、瓶キャップ、パウチ容器などの蓋も開けることができる多機能を有する膜蓋剥し機能付キャップオープナーを提供することである。
【課題を解決するための手段】
【０００６】
上記課題を解決するために、本考案に係る膜蓋剥し機能付キャップオープナーは、膜蓋剥し部とキャップオープナー部を有し、前記キャップオープナー部はオープナー部とハンドル部を有し、前記ハンドル部と前記膜蓋剥し部が一体的に形成されている膜蓋剥し機能付キャップオープナーであって、前記膜蓋剥し部は、断面半丸線の細い棒状の鋼材を二つ折りにして断面丸形状の軸であり、二つに合わせた半丸線の片側のストレートの長い軸と、前記二つに合わせた他方の片側を短くし先端を上部に反らした形状に形成されている先端を反らした短い軸と、を有し、前記二つ折りの部分が、前記ハンドル部に植え込み固定されており、前記キャップオープナー部は、前記オープナー部と前記ハンドル部が一体的に形成されており、前記オープナー部は、容器の蓋を開けるための複数の蓋開け部を有していることを特徴とする。
【０００７】
本考案に係る膜蓋剥し機能付キャップオープナーの態様について、前記蓋剥し部は、前記ストレートの長い軸と、前記先端を反らした短い軸を用いてフィルムによってシールされた膜蓋を有するパック容器の蓋開けをするために、前記膜蓋のつまみ部分を挟み回転し、前記つまみ部分を巻き込み剥すように形成されていることが好ましい。
【０００８】
本考案に係る膜蓋剥し機能付キャップオープナーの態様について、前記キャップオープナー部の複数の蓋開け部は、６個の蓋開け部であり、第１の蓋開け部は、パウチ袋入り飲料の蓋開け用であり、第２の蓋開け部は、直径２２.５ｍｍの栄養ドリンク３０ｍｌ用であり、第３の蓋開け部は、直径２５ｍｍの栄養ドリンク５０ｍｌ用であり、第４の蓋開け部は、直径２８ｍｍの栄養ドリンク１００ｍｌ用であり、第５の蓋開け部は、直径３０ｍｍの清涼飲料用ＰＥＴボトル用であり、第６の蓋開け部は、直径３２.５ｍｍの水用ＰＥＴボトル用であることが好ましい。
【考案の効果】
【０００９】
本考案によれば、容器のフィルムを簡単に開くことができる膜蓋剥し機能に加え、ペットボトル、瓶キャップ、パウチ容器などの蓋も開けることができる多機能を有する膜蓋剥し機能付キャップオープナーを提供することができる。
【図面の簡単な説明】
【００１０】
【図１】実施形態の膜蓋剥し機能付キャップオープナーの一例を示す模式図である。
【図２】実施形態の膜蓋剥し機能付キャップオープナーを説明する参考図である。
【考案を実施するための形態】
【００１１】
以下、本考案の膜蓋剥し機能付キャップオープナーの実施形態を、図１及び図２を用いて説明する。図１（ａ）は、膜蓋剥し機能付キャップオープナー１００を上の方向から見た模式図であり、図１（ｂ）は、膜蓋剥し機能付キャップオープナー１００を横から見た模式図であり、図１（ｃ）は、図１（ｂ）のＡ−Ａ断面を示す図である。図２は、膜蓋剥し機能付キャップオープナー１００を説明するための参考図である。
【００１２】
膜蓋剥し機能付キャップオープナー１００は、膜蓋剥し部１０とキャップオープナー部２０を有している。キャップオープナー部２０は、ハンドル部２１とオープナー部２２を有し、ハンドル部２１と膜蓋剥し部１０は一体的に形成されている。
【００１３】
膜蓋剥し部１０は、断面半丸線の細い棒状の鋼材を二つ折りにして断面丸形状の軸であり、二つに合わせた半丸線の片側のストレートの長い軸１１と、二つに合わせた他方の片側を短くし先端を上部に反らした形状として形成されている先端を反らした短い軸１２を有し、二つ折りの部分は、ハンドル部２１に、例えば植え込み固定され、一体的になるように形成されている。
【００１４】
蓋剥し部１０は、ストレートの長い軸１１と先端を反らした短い軸１２を用いて、例えば、フィルムによってシールされた膜蓋を有するパック容器の蓋開けをするために用いることができる。
【００１５】
すなわち、上記のシールされた膜蓋のつまみ部分、つまり通常指で挟んで力を入れて剥す部分を、指ではなく、ストレートの長い軸１１と先端を反らした短い軸１２との間で挟み、そして回転させ、つまみ部分を膜蓋剥し部１０に巻き込むことにより簡易には膜蓋を剥すことができるように形成されている。特に、指先の力が衰え膜蓋を剥がすのに苦労している高齢者などにおいて、本機能は、簡易にフィルムを剥すことができる優れたものである。
【００１６】
キャップオープナー部２０は、オープナー部２２とハンドル部２１が一体的になるように形成されており、オープナー部２２は、容器の蓋を開けるための複数の蓋開け部を有している。これらの複数の蓋開け部は、実施形態において以下に説明する６個で構成されているが、これに限定されず適宜最適な数量、構造などにすればよい。
【００１７】
実施形態における複数の蓋開け部は、上記のとおり６個である。すなわち、第１の蓋開け部２２ａは、パウチ袋入り飲料の蓋開け用であり、第２の蓋開け部２２ｂは、直径２２.５ｍｍの栄養ドリンク３０ｍｌ用であり、第３の蓋開け部２２ｃは、直径２５ｍｍの栄養ドリンク５０ｍｌ用であり、第４の蓋開け部２２ｄは、直径２８ｍｍの栄養ドリンク１００ｍｌ用であり、第５の蓋開け部２２ｅは、直径３０ｍｍの清涼飲料用ＰＥＴボトル用であり、第６の蓋開け部２２ｆは、直径３２.５ｍｍの水用ＰＥＴボトル用である。このようにオープナー部２２は、ＰＥＴボトル、栄養ドリンクなどの代表的な大きさの蓋に対応できるように形成されているが、上記のとおりこれらに限定されるものではない。
【００１８】
上記の構成を有する膜蓋剥し機能付キャップオープナー１００は、簡易な構成で持ち運びに便利な構成となっており、一つの製品で、フィルムによってシールされたパック容器の蓋開けが簡易にでき、豆腐、ゼリーなどの容器のフィルムの蓋の端を膜蓋剥し部１０で挟み、くるくると回すだけでフィルムを簡単に剥し、蓋を開けることができる。また、ボイルしたハンバーグ、茶碗蒸し、ゼリーなどにおいて容器を傾けることなく、中の液体がこぼれないように本体を水平にしたままゆっくりと開けることができる構成となっている。さらに、ＰＥＴボトル、栄養ドリンクなどの蓋を簡易に開けることができるように、例えば、ＰＥＴボトルのふたのギザギザに対応するようにオープナー部２２の部分において噛みやすいようなギザギザを付けている構成となっている。また、栄養ドリンクの小瓶などにおいては、平らな面で抵抗を増やすような構成となっている。
【００１９】
以上、本考案の有する特徴及び優れた点を上記実施形態に記載したが、本考案は、本願の実用新案登録請求の範囲で使用されている言葉を広く一般的な意味に拡張して実施することができる。
【００２０】
また、本考案の膜蓋剥し機能付キャップオープナーは、大きさや形状、素材の種類、厚さ、重さなどについては多様な実施形態が可能であり、それらについて本実施形態と異なる形態による実施は、本考案の技術的範囲に含まれる。
【符号の説明】
【００２１】
１００  膜蓋剥し機能付キャップオープナー
１０    膜蓋剥し部
１１    ストレートの長い軸、
１２    先端を反らした短い軸
２０    キャップオープナー部
２１    ハンドル部
２２    オープナー部
２２ａ  第１の蓋開け部
２２ｂ  第２の蓋開け部
２２ｃ  第３の蓋開け部
２２ｄ  第４の蓋開け部
２２ｅ  第５の蓋開け部
２２ｆ  第６の蓋開け部
【図１】
0003221385.tif 000003
【図２】
0003221385.tif 000004